(57)【要約】      （修正有）【課題】水平面に対してなす角度が異なる２の載置面のいずれにも安定して載置できる容器を提供する。【解決手段】収容物を収容する収容空間を有する容器本体と、容器本体に対し相対的に変位する変位支持部３８と、を備えてなり、載置面に載置される容器であって、水平面２０１に対して第１の角度をなす第１の載置面に載置された場合に第１の載置面に当接し容器本体を鉛直方向に対して所定の角度をなすように支持する容器本体の外面の一部を含む第１の当接部３７ｂと、水平面２０１に対して第１の角度とは異なる第２の角度をなす第２の載置面に載置された場合に第２の載置面に当接し容器本体を鉛直方向に対して該所定の角度を略なすように支持する、所定の位置に変位した変位支持部の外面の一部を含む第２の当接部と、を有してなる、容器である。【選択図】図５
0003197153.tif 000002
【実用新案登録請求の範囲】
【請求項１】
収容物を収容する収容空間を有する容器本体と、容器本体に対し相対的に変位する変位支持部と、を備えてなり、載置面に載置される容器であって、
水平面に対して第１の角度をなす第１の載置面に載置された場合に第１の載置面に当接し容器本体を鉛直方向に対して所定の角度をなすように支持する容器本体の外面の一部を含む第１の当接部と、
水平面に対して第１の角度とは異なる第２の角度をなす第２の載置面に載置された場合に第２の載置面に当接し容器本体を鉛直方向に対して該所定の角度を略なすように支持する、所定の位置に変位した変位支持部の外面の一部を含む第２の当接部と、を有してなる、容器。
【請求項２】
第１の角度又は第２の角度のいずれか一方が略０である、請求項１に記載の容器。
【請求項３】
第２の角度が略０である、請求項２に記載の容器。
【請求項４】
容器本体の外面の前記一部が第１の当接部を形成すると共に、容器本体の外面の一部と変位支持部の外面の前記一部とが第２の当接部を形成するものである、請求項１乃至３のいずれか１に記載の容器。
【請求項５】
容器本体が、収容空間と載置面との間に載置面に面するように形成された底部空間を有しており、
第２の当接部を構成する変位支持部の外面の前記一部が底部空間から載置面に向けて出没するものである、請求項４に記載の容器。
【請求項６】
収容空間と底部空間とを仕切る底板と、該底板の外縁に基端が取り付けられ先端が載置面に当接するように形成された脚部と、を容器本体が有してなり、
脚部の先端が第１の当接部を構成するものである、請求項５に記載の容器。
【請求項７】
脚部が、底板の外縁の少なくとも一部に沿って連続的に形成された壁状をなすものである、請求項６に記載の容器。
【請求項８】
変位支持部が、容器本体に取り付けられた取付部に対して基端が回動自在に取り付けられ先端近傍が第２の当接部を構成する棒状部材を含んでなるものである、請求項５乃至７のいずれか１に記載の容器。
【請求項９】
収容空間を規定する容器本体の内面の異なる２点に両端が取り付けられた棒材又は板材を容器本体が有するものである、請求項１乃至８のいずれか１に記載の容器。
【請求項１０】
前記棒材又は板材が、長手方向に沿ってのびる角部分を有するものである、請求項９に記載の容器。
【請求項１１】
容器本体がバケツである、請求項１乃至１０のいずれか１に記載の容器。
【考案の詳細な説明】
【技術分野】
【０００１】
本考案は、容器に関し、より詳細には、水平面に対してなす角度が異なる２の載置面のいずれにも安定して載置できる容器に関する。
【背景技術】
【０００２】
液体、固体（例えば、粒状、粉状、塊状等）、スラリー状の収容物を収容するための様々な容器が用いられてきた（例えば、特許文献１参照）。
特許文献１には、「バケツの底部に残り易い残留物を解消して、収容物をバケツ外にスムーズに排出できるようにする」（特許文献１、発明の詳細な説明中の段落番号０００３）ためになされたもので、具体的には「合成樹脂製の成形体からなるバケツであって、胴部の下部内周面をアール面に成形し、このアール面に続く底面を凹面に形成して、バケツを傾けたときに、上記底部の凹面とアール面とを介してコンクリートのように残留し易い収容物を残さずに排出できるようにしたことを特徴とする合成樹脂製バケツ」（特許文献１、発明の詳細な説明中の段落番号０００４）というものであり、それによって「上記のように胴部内周面下部と底部の外周縁との接続部分をアールの連続面に形成して角張らせないように構成した本発明バケツは、バケツを傾けると底部に具えた凹面部分に収容物が誘導されて傾けた方の底部に集められる。そして、底部の一隅に集められた収容物は、上記凹面部分から胴部の下部内周面に形成されているアール面にスムーズに移乗し、バケツの傾きと共に胴部内周面を経てバケツ外に排出される。」（特許文献１、発明の詳細な説明中の段落番号０００５）という効果を奏するものが開示されている。
【先行技術文献】
【特許文献】
【０００３】
【特許文献１】特開２００３−２３６８２５号公報（例えば、要約、段落番号０００１〜０００５、第１図、第２図等）
【考案の概要】
【考案が解決しようとする課題】
【０００４】
確かに、特許文献１に開示されたバケツは、バケツの底部に残り易い残留物を解消し収容物をバケツ外にスムーズに排出できるが、水平面に対してなす角度が異なるバケツの載置面に載置された場合には、バケツが載置面を転がる等して安定して載置できない問題（例えば、水平面に対して第１の角度をなす第１の載置面に載置された場合と、水平面に対して第１の角度とは異なる第２の角度をなす第２の載置面に載置された場合と、の両場合の一方において安定して載置できるようにバケツを構成しても他方において不安定になることがある。）があった。
そこで、本考案では、水平面に対してなす角度が異なる２の載置面（上記の第１の載置面及び第２の載置面）のいずれにも安定して載置できるバケツ等のような容器を提供することを目的とする。
【課題を解決するための手段】
【０００５】
本考案の容器（以下、「本容器」という。）は、収容物を収容する収容空間を有する容器本体と、容器本体に対し相対的に変位する変位支持部と、を備えてなり、載置面に載置される容器であって、水平面に対して第１の角度をなす第１の載置面に載置された場合に第１の載置面に当接し容器本体を鉛直方向に対して所定の角度をなすように支持する容器本体の外面の一部を含む第１の当接部と、水平面に対して第１の角度とは異なる第２の角度をなす第２の載置面に載置された場合に第２の載置面に当接し容器本体を鉛直方向に対して該所定の角度を略なすように支持する、所定の位置に変位した変位支持部の外面の一部を含む第２の当接部と、を有してなる、容器である。
【０００６】
本容器は、載置面に載置される容器である。
そして、本容器は容器本体と変位支持部とを備えてなる。容器本体は、収容物を収容する収容空間を有すると共に、変位支持部は容器本体に対し相対的に変位する。
本容器は、第１の当接部と第２の当接部とを有してなる。
第１の当接部は、容器本体の外面の一部を含んで構成される。第１の当接部は、本容器が第１の載置面（水平面に対して第１の角度をなす平面）に載置された場合に第１の載置面に当接し容器本体を鉛直方向（水平面に対して垂直な方向）に対して所定の角度をなすように支持する。
第２の当接部は、変位支持部（所定の位置に変位した状態）の外面の一部を含んで構成される。第２の当接部は、本容器が第２の載置面（水平面に対して第１の角度とは異なる第２の角度をなす平面）に載置された場合に第２の載置面に当接し容器本体を鉛直方向に対して該所定の角度を略なすように支持する。
なお、「容器本体の鉛直方向に対する角度」とは、本容器を第１の載置面に載置した場合に第１の載置面に直交し容器本体（収容空間を含む）を通過する直線から選択された任意の直線である基準直線が鉛直方向に対してなす角度をいう（選択され決定された基準直線は容器本体に対して相対的に位置が決定される）。
こうすることで、本容器が第１の載置面（水平面に対して第１の角度をなす平面）に載置された場合の容器本体の鉛直方向に対する方向（姿勢）と、本容器が第２の載置面（水平面に対して第１の角度とは異なる第２の角度をなす平面）に載置された場合の容器本体の鉛直方向に対する方向（姿勢）と、がほぼ同じとなるので、水平面に対してなす角度が異なる２の載置面（第１の載置面、第２の載置面）のいずれにも本容器は安定して載置できる。
【０００７】
本容器においては、第１の角度又は第２の角度のいずれか一方が略０であってもよい（以下、「水平載置本容器」という。）。
こうすることで第１の載置面又は第２の載置面のいずれかが略水平であるので、通常、容器を載置することが多い水平面に本容器を安定して載置でき、本容器の使用を便ならしめることができる。
【０００８】
水平載置本容器の場合、第２の角度が略０であってもよい。
こうすることで第１の載置面（水平面に対して第１の角度をなす平面）が斜面（水平ではない）であるので、容器本体の外面の一部を含む第１の当接部が第１の載置面に当接して容器本体を支持するので、不安定になりがちな斜面における容器本体を安定させることができ（斜面たる第１の載置面に容器本体の外面が当接するので容器本体が安定する。）、本容器を安定して使用することができる。
【０００９】
本容器においては、容器本体の外面の前記一部が第１の当接部を形成すると共に、容器本体の外面の一部と変位支持部の外面の前記一部とが第２の当接部を形成するもの（以下、「本体外面利用本容器」という。）であってもよい。
こうすることで容器本体の外面の一部を含む第１の当接部を容器本体の外面の一部のみで形成すると共に、変位支持部の外面の一部を含む第２の当接部を容器本体の外面の一部と変位支持部の外面の一部とにより形成できるので、容器本体の外面の一部を用いることで第１の当接部及び第２の当接部をうまく形成でき、本容器を容易に構成できる。
【００１０】
本体外面利用本容器の場合、容器本体が、収容空間と載置面との間に載置面に面するように形成された底部空間を有しており、第２の当接部を構成する変位支持部の外面の前記一部が底部空間から載置面に向けて出没するもの（以下、「変位支持部出没本容器」という。）であってもよい。
こうすることで本容器が第１の載置面に載置される場合には変位支持部が底部空間に収容され（第２の当接部を構成する変位支持部の外面の前記一部も底部空間に収容される。）、本容器が第２の載置面に載置される場合には、第２の当接部を構成する変位支持部の外面の前記一部が底部空間から載置面に向けて突出することで、本容器が第１の載置面に載置されるときには変位支持部が邪魔にならず、そして第２の当接部を容器本体の外面の一部と変位支持部の外面の一部とによりうまく形成することができる。
【００１１】
変位支持部出没本容器の場合、収容空間と底部空間とを仕切る底板と、該底板の外縁に基端が取り付けられ先端が載置面に当接するように形成された脚部と、を容器本体が有してなり、脚部の先端が第１の当接部を構成するもの（以下、「底板脚部本容器」という。）であってもよい。
こうすることで、容器本体が底板と脚部とを有し、底板は収容空間と底部空間とを仕切り、そして脚部は該底板の外縁に脚部の基端（通常は上端）が取り付けられると共に脚部の先端（通常は下端）が載置面に当接する。この脚部の先端（通常は下端）が、第１の載置面に当接する第１の当接部を構成するので、底部空間を容易に形成できる。なお、脚部は、その形状は特に限定されるものではなく、棒状（この場合は棒の一端が前記基端に該当し、棒の他端が前記先端に該当する。）や板状（この場合は板の一縁が前記基端に該当し、板の他縁が前記先端に該当する。）のものを例示することができる。
【００１２】
底板脚部本容器の場合、脚部が、底板の外縁の少なくとも一部に沿って連続的に形成された壁状をなすものであってもよい。
このように底板の外縁の少なくとも一部に沿って連続的に形成された壁状（板状）をなす脚部とすることで、容器本体が底板の外縁の少なくとも一部（全部であってもよい）に沿って連続的に支持されるので容器本体を安定して支持することができると共に、壁状（板状）をなす脚部により容器本体を補強することもできる。
【００１３】
変位支持部出没本容器の場合、変位支持部が、容器本体に取り付けられた取付部に対して基端が回動自在に取り付けられ先端近傍が第２の当接部を構成する棒状部材を含んでなるものであってもよい。
こうすることで変位支持部が棒状部材を含んでなり、かかる棒状部材は、取付部（容器本体に取り付けられる）に対して基端が回動自在に取り付けられて先端近傍が底部空間から載置面に向けて突出することで第２の当接部を構成する。このため容器本体に取付部を取り付けると共に棒状部材の基端を取付部に対して回動自在に取り付けることで、変位支持部を簡単に構成できる。
【００１４】
本容器においては、収容空間を規定する容器本体の内面の異なる２点に両端が取り付けられた棒材又は板材を容器本体が有するもの（以下、「かきとり本容器」という。）であってもよい。
こうすることで、かかる棒材又は板材（以下、「かきとり材」という。）が容器本体の内面（収容空間を規定する面）の異なる２点に両端が取り付けられるので、作業具（例えば、コテ、ヘラ、スコップ、シャベル等）の表面に付着した物（例えば、コンクリート、セメント、泥、しっくい、油等）を、作業具の表面をかきとり材に擦りつけることによってこれらをかき落とすことができる。
【００１５】
かきとり本容器の場合、前記棒材又は板材が、長手方向に沿ってのびる角部分を有するものであってもよい。
このように前記棒材又は板材（かきとり材）が、長手方向に沿ってのびる角部分を有する（例えば、かきとり材が、長手方向に沿った角柱であれば、その角柱の辺部分が該角部分に該当する。）ことにより、表面に物が付着した作業具の表面を角部分に擦りつける（角部分がのびる長手方向に対して直交する方向に作業具を動かすようにしてもよい）ことで、作業具の表面に付着した物を効果的にかき落とすことができる。
【００１６】
本容器においては、容器本体がバケツであってもよい。
こうすることで容器として多用されるバケツを、水平面に対してなす角度が異なる２の載置面のいずれにも安定して載置できるようにすることができるので、便利に使用できる容器を提供できる。
【図面の簡単な説明】
【００１７】
【図１】本考案の一実施形態の容器（本容器）であるバケツを示す正面図である。
【図２】バケツの平面図（図１中、矢印Ａ方向から見たところを示している。）である。
【図３】図２のＢ−Ｂ断面図である。
【図４】バケツの底面図（図１中、矢印Ｃ方向から見たところを示している。）である。
【図５】水平面にバケツを載置した状態を示す断面図である。
【図６】バケツが有するかき取り棒の使用方法を示す断面図である。
【考案を実施するための形態】
【００１８】
本考案の実施の形態を図面を参照して詳述するが、本考案はこれに限定されるものではない。
【００１９】
図１は、本考案に係る容器（本容器）の一実施形態であるバケツ１１を示す正面図であり、図２はバケツ１１の平面図（図１中、矢印Ａ方向から見たところを示している。）であり、図３は図２のＢ−Ｂ断面図であり、そして図４はバケツ１１の底面図（図１中、矢印Ｃ方向から見たところを示している。）である。図１乃至図４を参照して、バケツ１１について説明する。
バケツ１１は、大まかには、バケツ部３１と、バケツ部３１に取り付けられた取っ手部２１と、を有してなる。
【００２０】
バケツ部３１は、有底無蓋の中空の本体部３３と、本体部３３の上内縁近傍に掛けわたすように両端が取り付けられたかき取り棒３５と、本体部３３の底板３３ｂの外縁に沿って取り付けられたスカート部３７と、スカート部３７の内面に取り付けられた一対の脚３８、３９と、を有してなる。
【００２１】
スカート部３７の下縁３７ｂはその連続方向に沿って連続して平面に当接するように形成されている。例えば、水平面２０１（図１及び図３参照）に対し所定の角度Ｄ（ここではＤ＝１５度）をなす平らな斜面２１１にバケツ１１を載置すると、スカート部３７の下縁３７ｂがその連続方向に沿って斜面２１１に当接する。なお、スカート部３７の高さ（後述する直線３３ｘに平行方向の寸法）は、後述する突出部３３ｍが形成されている側は小さく、それと反対側は高くされている（図３参照）。
【００２２】
本体部３３は、楕円形を略なす平板状の底板３３ｂと、底板３３ｂの上面３３ｂａの外縁から立ち上がるように形成された側板３３ａと、を含んでなり、上面が開放された器状である有底無蓋の中空の楕円柱の形状を略なす。斜面２１１にバケツ１１を載置すると（スカート部３７の下縁３７ｂが斜面２１１に連続的に当接する。）、該楕円柱の高さを含む直線３３ｘがほぼ鉛直（水平面２０１に垂直）になる。該楕円柱を直線３３ｘにより切断した際の短軸３３ｆが本体部３３に交わる一対の点のうち本体部３３の上縁近傍のものの位置には取っ手部取付穴３４ａ、３４ｂが穿設されている（図１及び図３参照）。そして、取っ手部取付穴３４ａ、３４ｂの中間位置（短軸３３ｆと垂直な長軸３３ｇが本体部３３に交わる一対の点のうち本体部３３の上縁近傍に存するもの）の一方側には、突出部３３ｍが下くちばし状（鳥のくちばしを形成する上くちばしと下くちばしのうち、下くちばしに似た形状）に形成されている。
【００２３】
かき取り棒３５は、真っ直ぐな角材により形成されており、突出部３３ｍの基端側の内面上部に両端が取り付けられており、かき取り棒３５と突出部３３ｍ内面との間には連通空間３６（図３参照）が形成されている。
【００２４】
一対の脚３８、３９は、後述の通り、水平面２０１にバケツ１１を載置する際、直線３３ｘをほぼ鉛直に保つために用いるものである。脚３８、３９いずれも同じ構造を有しており、具体的には、スカート部３７の内面に取り付けられた脚取付部３８ａ、３９ａと、脚取付部３８ａ、３９ａに対して回動自在に取り付けられた脚本体部３８ｂ、３９ｂと、を有してなる。脚本体部３８ｂ、３９ｂは真っ直ぐな棒状部材により形成されており、その基端が脚取付部３８ａ、３９ａにより回動自在に支持されている。脚取付部３８ａ、３９ａに対する脚本体部３８ｂ、３９ｂの回動は、脚本体部３８ｂ、３９ｂを収納する回動位置（図１、図３、図４）と、脚本体部３８ｂ、３９ｂが突出する回動位置（脚本体部３８ｂ、３９ｂの先端が水平面２０１に当接しバケツ１１を支える。後述の図５参照。）と、の両方の回動位置にて固定可能になっている。この脚本体部３８ｂ、３９ｂを収納する回動位置においては脚３８、３９全体が、スカート部３７内面と底板３３ｂ下面３３ｂｂとにより形成される空間３２に収容される。脚本体部３８ｂ、３９ｂが突出する回動位置においては脚本体部３８ｂ、３９ｂが水平面２０１に略垂直となる。
【００２５】
取っ手部２１は、一対の環状部２１ａ、２１ｂと、両端に環状部２１ａ、２１ｂが取り付けられた取っ手本体２１ｃと、を有してなり、環状部２１ａは取っ手部取付穴３４ａを通過することで取り付けられると共に環状部２１ｂは取っ手部取付穴３４ｂを通過することで取り付けられている。これにより取っ手部２１が本体部３３に取り付けられ、取っ手本体２１ｃを手で把持してバケツ１１を提げることができる。
【００２６】
バケツ１１の使用方法を説明する（図示及び理解を容易にするため、バケツ１１の収容物の図示を省略している。）。
図５は、水平な平面に沿った水平面２０１にバケツ１１を載置した状態を示す図（バケツ１１については図３と同じ断面を示している）である。脚本体部３８ｂ、３９ｂを脚取付部３８ａ、３９ａに対して回動させ脚本体部３８ｂ、３９ｂが突出する回動位置とする。この状態では、脚本体部３８ｂ、３９ｂが水平面２０１に略垂直になると共に脚本体部３８ｂ、３９ｂの先端が水平面２０１に当接しバケツ１１を支える（スカート部３７の下縁３７ｂのうち突出部３３ｍが形成されている側の部分と、脚本体部３８ｂの先端と、脚本体部３９ｂの先端と、が水平面２０１に当接しバケツ１１を支える。なお、図５には、脚本体部３９ｂの先端が現れないが、これも水平面２０１に当接している。）。この図５の状態においては、前述の直線３３ｘがほぼ鉛直に保たれている。そして、前述した通り、脚本体部３８ｂ、３９ｂを収納する回動位置（図１、図３、図４）において斜面２１１にバケツ１１を載置すると、スカート部３７の下縁３７ｂが斜面２１１に連続的に当接し、直線３３ｘがほぼ鉛直に保たれる。このようにバケツ１１は、水平面２０１に載置された状態（図５）においても直線３３ｘがほぼ鉛直に保たれると共に斜面２１１に載置された状態（図１、図３、図４）においても直線３３ｘがほぼ鉛直に保たれる。
【００２７】
図６は、バケツ１１が有するかき取り棒３５の使用方法を示す図（バケツ１１については図３と同じ断面を示している）である。ここでは左官コテ３０１の表面に付着した漆喰スラリー４０１をかき取り棒３５によって左官コテ３０１からかき落とすところを示している。具体的には、漆喰スラリー４０１が表面に付着した左官コテ３０１の表面をかき取り棒３５に当接させた状態でかき取り棒３５に対して左官コテ３０１を移動させる（例えば、図６中、矢印Ｊ方向）。
これにより左官コテ３０１の表面に付着した漆喰スラリー４０１がかき取り棒３５によって左官コテ３０１からかき落とされて（特に、かき取り棒３５の角部分により効果的に漆喰スラリー４０１がかき落とされる）下方に落下するが、突出部３３ｍの内面により捕捉され連通空間３６を経て下方に移動する。
なお、図６は斜面２１１にバケツ１１を載置した状態で左官コテ３０１の表面に付着した漆喰スラリー４０１をかき取り棒３５にかき落とすところを示しているが、バケツ１１を水平面２０１に載置した状態（図５）においても同様に漆喰スラリー４０１をかき取り棒３５にかき落とすことができる。また、ここでは例示として左官コテ３０１の表面に付着した漆喰スラリー４０１をかき落とすところを示したが、これに限定されるものではなく、かき取り棒３５によりかき落とすことができるものであればどのようなものにも用いることができる。
【００２８】
以上説明した通り、バケツ１１は、収容物を収容する収容空間（ここでは本体部３３の内部空間３３ｐ）を有する容器本体（本体部３３とかき取り棒３５とスカート部３７とを含んでなる。）と、容器本体（本体部３３とかき取り棒３５とスカート部３７）に対し相対的に変位する変位支持部（ここでは脚３８、３９）と、を備えてなり、載置面（ここでは水平面２０１、斜面２１１）に載置される容器であって、水平面に対して第１の角度（ここでは角度Ｄ＝約１５度）をなす第１の載置面（斜面２１１）に載置された場合に第１の載置面（斜面２１１）に当接し容器本体（本体部３３とかき取り棒３５とスカート部３７）を鉛直方向に対して所定の角度をなすように支持する容器本体（本体部３３とかき取り棒３５とスカート部３７）の外面の一部を含む第１の当接部（ここではスカート部３７の下縁３７ｂ）と、水平面に対して第１の角度（ここでは角度Ｄ＝約１５度）とは異なる第２の角度（ここでは約０度）をなす第２の載置面（ここでは水平面２０１）に載置された場合に第２の載置面（水平面２０１）に当接し容器本体（本体部３３とかき取り棒３５とスカート部３７）を鉛直方向に対して該所定の角度を略なすように支持する、所定の位置（ここでは脚本体部３８ｂ、３９ｂが突出する回動位置（図５））に変位した変位支持部（脚３８、３９）の外面の一部（脚本体部３８ｂの先端、脚本体部３９ｂの先端）を含む第２の当接部（スカート部３７の下縁３７ｂのうち突出部３３ｍが形成されている側の部分と、脚本体部３８ｂの先端と、脚本体部３９ｂの先端と、により形成される）と、を有してなる、容器である。なお、ここでは「容器本体の鉛直方向に対する角度」としては、第１の載置面（斜面２１１）に直交し容器本体（本体部３３とかき取り棒３５とスカート部３７）を通過する任意の直線である基準直線（例えば、図１、図３、図５中の直線Ｌ）が鉛直方向に対してなす角度Ｑをいう（図１及び図３中の角度Ｑは、図５中の角度Ｑと略同じである。）。
【００２９】
そして、バケツ１１においては、第１の角度又は第２の角度のいずれか一方が略０度である（ここでは第２の角度が略０度である。）。
バケツ１１においては、容器本体（本体部３３とかき取り棒３５とスカート部３７）の外面の前記一部（スカート部３７の下縁３７ｂ）が第１の当接部を形成すると共に、容器本体（本体部３３とかき取り棒３５とスカート部３７）の外面の一部（スカート部３７の下縁３７ｂのうち突出部３３ｍが形成されている側の部分）と変位支持部（脚３８、３９）の外面の前記一部（脚本体部３８ｂの先端、脚本体部３９ｂの先端）とが第２の当接部を形成するものである。
バケツ１１においては、容器本体（本体部３３とかき取り棒３５とスカート部３７）が、収容空間（本体部３３の内部空間３３ｐ）と載置面（水平面２０１、斜面２１１）との間に載置面（水平面２０１、斜面２１１）に面するように形成された底部空間（スカート部３７内面と底板３３ｂ下面３３ｂｂとにより形成される空間３２）を有しており、第２の当接部を構成する変位支持部（脚３８、３９）の外面の前記一部（脚本体部３８ｂの先端、脚本体部３９ｂの先端）が底部空間（空間３２）から載置面（水平面２０１、斜面２１１）に向けて出没するものである。
バケツ１１においては、収容空間（内部空間３３ｐ）と底部空間（空間３２）とを仕切る底板３３ｂと、該底板３３ｂの外縁に基端が取り付けられ先端が載置面に当接するように形成された脚部（ここではスカート部３７）と、を容器本体（本体部３３とかき取り棒３５とスカート部３７）が有してなり、脚部（スカート部３７）の先端（スカート部３７の下縁３７ｂ）が第１の当接部を構成するものである。
バケツ１１においては、脚部（スカート部３７）が、底板３３ｂの外縁の少なくとも一部（ここではほぼ全部）に沿って連続的に形成された壁状をなすものである。
バケツ１１においては、変位支持部（脚３８、３９）が、容器本体（本体部３３とかき取り棒３５とスカート部３７）に取り付けられた取付部（脚取付部３８ａ、３９ａ）に対して基端が回動自在に取り付けられ先端近傍が第２の当接部を構成する棒状部材（脚本体部３８ｂ、３９ｂ）を含んでなるものである。
【００３０】
バケツ１１においては、収容空間（内部空間３３ｐ）を規定する容器本体（本体部３３とかき取り棒３５とスカート部３７）の内面の異なる２点に両端が取り付けられた棒材又は板材（ここでは棒材たるかき取り棒３５）を容器本体（本体部３３とかき取り棒３５とスカート部３７）が有するものである。
バケツ１１においては、前記棒材又は板材（ここでは棒材たるかき取り棒３５）が、長手方向に沿ってのびる角部分（かき取り棒３５は真っ直ぐな角材により形成されている）を有するものである。
バケツ１１においては、容器本体（本体部３３とかき取り棒３５とスカート部３７）がバケツである。
【符号の説明】
【００３１】
１１            バケツ
２１            取っ手部
２１ａ、２１ｂ  環状部
２１ｃ          取っ手本体
３１            バケツ部
３２            空間
３３            本体部
３３ａ          側板
３３ｂ          底板
３３ｂａ        上面
３３ｂｂ        下面
３３ｆ          短軸
３３ｇ          長軸
３３ｍ          突出部
３３ｐ          内部空間
３３ｘ          直線
３４ａ、３４ｂ  取っ手部取付穴
３５            かき取り棒
３６            連通空間
３７            スカート部
３７ｂ          下縁
３８、３９      脚
３８ａ、３９ａ  脚取付部
３８ｂ、３９ｂ  脚本体部
２０１            水平面
２１１            斜面
３０１            左官コテ
４０１            漆喰スラリー
【図１】
0003197153.tif 000003
【図２】
0003197153.tif 000004
【図３】
0003197153.tif 000005
【図４】
0003197153.tif 000006
【図５】
0003197153.tif 000007
【図６】
0003197153.tif 000008